(57)【特許請求の範囲】
【請求項１】
画像を撮像する撮像部を備える情報端末装置と、
該情報端末装置で利用可能な利用可能情報を自装置が提供する情報から抽出する抽出部、該抽出部で抽出した利用可能情報を前記撮像部で撮像するためのマークに変換する変換部及び該変換部で変換したマークを表示させる表示部を備える情報処理装置と
を含む情報処理システムにおいて、
前記情報処理装置は、
放送に関する番組表を前記表示部に表示させて番組の選択を受け付け、
前記番組が選択された場合、前記番組表に含まれる番組の番組情報のうち、選択された番組に関する番組情報から前記利用可能情報を前記抽出部で抽出し、
前記情報端末装置は、
前記表示部に表示されたマークを前記撮像部で撮像した場合、撮像したマークを変換するマーク変換部を備える情報処理システム。
【請求項２】
前記情報処理装置は、
前記番組が選択された場合、選択された番組に関する番組情報を表示するための番組情報欄を前記表示部に表示させ、
選択された番組に関して前記抽出部で抽出した利用可能情報が複数ある場合、複数の利用可能情報それぞれを前記変換部で前記マークに変換して一つの前記番組情報欄に表示させる
請求項１に記載の情報処理システム。
【請求項３】
画像を撮像する撮像部を備える情報端末装置と、
該情報端末装置で利用可能な利用可能情報を自装置が提供する情報から抽出する抽出部、該抽出部で抽出した利用可能情報を前記撮像部で撮像するためのマークに変換する変換部及び該変換部で変換したマークを表示させる表示部を備える情報処理装置と
を含む情報処理システムにおいて、
前記利用可能情報には、前記利用可能情報を暗号化するための暗号タグが対応づけられており、
前記情報処理装置は、
前記暗号タグと、記憶部に記憶された暗号タグとが一致するか否かを判定する判定部を更に備え、
該判定部で前記利用可能情報に対応づけられた暗号タグと前記記憶部に記憶された暗号タグとが一致すると判定した場合、前記抽出部で前記利用可能情報を自装置が提供する情報から抽出する
情報処理システム。
【請求項４】
外部で利用可能な利用可能情報を自装置が提供する情報から抽出する抽出部と、該抽出部で抽出した利用可能情報を外部から撮像するためのマークに変換する変換部と、該変換部で変換したマークを表示させる表示部とを備える情報処理装置において、
放送に関する番組表を前記表示部に表示して番組の選択を受け付け、
前記番組が選択された場合、前記番組表に含まれる番組の番組情報のうち、選択された番組に関する番組情報から前記利用可能情報を前記抽出部で抽出する情報処理装置。
【請求項５】
前記番組が選択された場合、選択された番組に関する番組情報を表示するための番組情報欄を前記表示部に表示させ、
選択された番組に関して前記抽出部で抽出した利用可能情報が複数ある場合、複数の利用可能情報それぞれを前記変換部で前記マークに変換して一つの前記番組情報欄に表示させる
請求項４に記載の情報処理装置。
【請求項６】
外部で利用可能な利用可能情報を自身が提供する情報から抽出し、抽出した利用可能情報を外部から撮像するためのマークに変換し、変換したマークを表示させるコンピュータに、
放送に関する番組表を表示して番組の選択を受け付けるステップと、
前記番組が選択された場合、前記番組表に含まれる番組の番組情報のうち、選択された番組に関する番組情報から前記利用可能情報を抽出するステップと
を実行させるプログラム。
【発明の詳細な説明】
【技術分野】
【０００１】
本発明は、番組情報を変換したマークを表示する情報処理システム等に関する。
【背景技術】
【０００２】
従来、テレビ番組のサイト等の情報の内、パーソナルコンピュータ又は携帯端末装置等の情報端末装置で利用可能なＵＲＬ等の利用可能情報をテレビ番組とともに表示装置に表示する技術が知られている（例えば特許文献１）。
【先行技術文献】
【特許文献】
【０００３】
【特許文献１】国際公開第２０１０／１１９８３４号
【発明の概要】
【発明が解決しようとする課題】
【０００４】
しかし、特許文献１に開示された技術では、ユーザが利用可能情報を情報端末装置に入力する必要があり、手間がかかるという問題がある。
【０００５】
一つの側面では、ユーザが容易に利用可能情報を利用することができる情報処理システム等を提供することにある。
【課題を解決するための手段】
【０００６】
一態様の情報処理システムは、画像を撮像する撮像部を備える情報端末装置と、該情報端末装置で利用可能な利用可能情報を自装置が提供する情報から抽出する抽出部、該抽出部で抽出した利用可能情報を前記撮像部で撮像するためのマークに変換する変換部及び該変換部で変換したマークを表示させる表示部を備える情報処理装置とを含む情報処理システムにおいて、前記情報処理装置は、放送に関する番組表を前記表示部に表示させて番組の選択を受け付け、前記番組が選択された場合、前記番組表に含まれる番組の番組情報のうち、選択された番組に関する番組情報から前記利用可能情報を前記抽出部で抽出し、前記情報端末装置は、前記表示部に表示されたマークを前記撮像部で撮像した場合、撮像したマークを変換するマーク変換部を備える。
【０００７】
一態様の情報処理システムは、前記情報処理装置は、前記番組が選択された場合、選択された番組に関する番組情報を表示するための番組情報欄を前記表示部に表示させ、選択された番組に関して前記抽出部で抽出した利用可能情報が複数ある場合、複数の利用可能情報それぞれを前記変換部で前記マークに変換して一つの前記番組情報欄に表示させる。
【０００８】
一態様の情報処理システムは、画像を撮像する撮像部を備える情報端末装置と、該情報端末装置で利用可能な利用可能情報を自装置が提供する情報から抽出する抽出部、該抽出部で抽出した利用可能情報を前記撮像部で撮像するためのマークに変換する変換部及び該変換部で変換したマークを表示させる表示部を備える情報処理装置とを含む情報処理システムにおいて、前記利用可能情報には、前記利用可能情報を暗号化するための暗号タグが対応づけられており、前記情報処理装置は、前記暗号タグと、記憶部に記憶された暗号タグとが一致するか否かを判定する判定部を更に備え、該判定部で前記利用可能情報に対応づけられた暗号タグと前記記憶部に記憶された暗号タグとが一致すると判定した場合、前記抽出部で前記利用可能情報を自装置が提供する情報から抽出する。
【０００９】
一態様の情報処理装置は、外部で利用可能な利用可能情報を自装置が提供する情報から抽出する抽出部と、該抽出部で抽出した利用可能情報を外部から撮像するためのマークに変換する変換部と、該変換部で変換したマークを表示させる表示部とを備える情報処理装置において、放送に関する番組表を前記表示部に表示して番組の選択を受け付け、前記番組が選択された場合、前記番組表に含まれる番組の番組情報のうち、選択された番組に関する番組情報から前記利用可能情報を前記抽出部で抽出する。
【００１０】
一態様の情報処理装置は、前記番組が選択された場合、選択された番組に関する番組情報を表示するための番組情報欄を前記表示部に表示させ、選択された番組に関して前記抽出部で抽出した利用可能情報が複数ある場合、複数の利用可能情報それぞれを前記変換部で前記マークに変換して一つの前記番組情報欄に表示させる。
【００１１】
一態様のプログラムは、外部で利用可能な利用可能情報を自身が提供する情報から抽出し、抽出した利用可能情報を外部から撮像するためのマークに変換し、変換したマークを表示させるコンピュータに、放送に関する番組表を表示して番組の選択を受け付けるステップと、前記番組が選択された場合、前記番組表に含まれる番組の番組情報のうち、選択された番組に関する番組情報から前記利用可能情報を抽出するステップとを実行させる。
【発明の効果】
【００１２】
一態様によれば、ユーザが容易に利用可能情報を利用することができる。
【図面の簡単な説明】
【００１３】
【図１】本実施形態に係る情報処理システムを説明する説明図である。
【図２】録画装置のハードウェア群を示すブロック図である。
【図３】番組情報ＤＢに格納されているデータの一例を示す図である。
【図４】利用可能情報ＤＢに格納されているデータの一例を示す図である。
【図５】情報端末装置のハードウェア群を示すブロック図である。
【図６】サーバのハードウェア群を示すブロック図である。
【図７】番組表を表示するための番組表画面を説明する説明図である。
【図８】番組表画面の一部を拡大した拡大図である。
【図９】情報処理システムの動作を説明するための説明図である。
【図１０】録画装置におけるマークを表示するマーク表示処理の処理手順を示したフローチャートである。
【図１１】情報端末装置及びサーバ側における利用可能情報を表示する番組情報表示処理の処理手順を示したフローチャートである。
【図１２】番組表画面の一部を拡大した拡大図である。
【図１３】本実施形態におけるマーク表示処理の処理手順を示したフローチャートである。
【図１４】番組表画面の一部を拡大した拡大図である。
【図１５】情報処理システムの動作を説明するための説明図である。
【図１６】本実施形態におけるマーク表示処理の処理手順を示したフローチャートである。
【図１７】本実施形態における番組情報表示処理の処理手順を示したフローチャートである。
【図１８】登録番号を表示した登録画面を示す説明図である。
【図１９】入力画面を示す説明図である。
【図２０】本実施形態におけるマーク表示処理の処理手順を示したフローチャートである。
【図２１】本実施形態における番組情報表示処理の処理手順を示したフローチャートである。
【図２２】番組情報ＤＢに格納されているデータの一例を示す図である。
【図２３】番組表画面を説明する説明図である。
【図２４】本実施形態におけるマーク表示処理の処理手順を示したフローチャートである。
【図２５】本実施形態における番組情報表示処理の処理手順を示したフローチャートである。
【図２６】画面特定情報ＤＢに格納されているデータの一例を示す図である。
【図２７】シーン関連情報ＤＢに格納されているデータの一例を示す図である。
【図２８】番組内のシーンを特定するためのシーン特定画面を説明する説明図である。
【図２９】マーク表示処理の処理手順を示したフローチャートである。
【図３０】関連情報表示処理の処理手順を示したフローチャートである。
【図３１】マーク表示処理の処理手順を示したフローチャートである。
【図３２】関連情報表示処理の処理手順を示したフローチャートである。
【図３３】録画番組を再生する再生画面を説明する説明図である。
【図３４】マーク表示処理の処理手順を示したフローチャートである。
【図３５】関連情報表示処理の処理手順を示したフローチャートである。
【発明を実施するための形態】
【００１４】
実施の形態１
以下本実施の形態を、図面を参照して説明する。図１は本実施形態に係る情報処理システムを説明する説明図である。本実施の形態に係る録画装置（情報処理装置）１は、テレビジョン放送により放送された番組を録画する装置である。録画装置１は、テレビジョン受信機又はプロジェクタ等の表示装置２に接続されている。送信機３は各種の操作ボタンによりユーザからの指示を受け付け、受け付けた指示に基づいて録画装置１を操作する操作信号を録画装置１へ送信する。録画装置１は送信機３から送信された操作信号を受信し、受信した操作信号に基づいて表示装置２に番組情報を表示する。番組情報とは番組に関する情報であり、例えば録画番組、番組サイトへのリンク、番組の出演者、番組を放送する放送局、番組のタイトル、番組のメールアドレス、放送局の電話番号、放送局の住所、番組に関する地名又は番組に登場する商品等である。すなわち、番組情報とは、録画装置１が提供する一又は複数の情報である。なお、録画装置１が提供する一又は複数の情報とは番組の内容に限られず、録画装置１に関する装置関連情報でもよい。装置関連情報とは例えば、サーバ５に録画装置１に係るユーザを登録するための登録番号である。なお、録画装置１は場合により、表示装置２と一体であってもよい。
【００１５】
録画装置１は番組情報から情報端末装置４で利用可能な利用可能情報を抽出する。利用可能情報とは例えば、番組サイトへのリンク又は番組の出演者等である。録画装置１は抽出した利用可能情報を画像処理又は任意の情報処理によりマーク（記号）に変換し、変換したマークを表示装置２に表示させる。マークとは例えば、ＱＲコード（登録商標）、バーコード又は利用可能情報を所定のアルゴリズムで画像処理することにより変換される画像、非可視光で表示される映像等である。なお、本実施形態では番組情報から番組サイトへのリンクを抽出するが、ユーザに対する登録番号等を抽出してもよい。
【００１６】
情報端末装置４は例えば、携帯電話、スマートフォン又はパーソナルコンピュータ等であり、表示装置２に表示されたマークを撮像し、撮像したマークを利用可能情報に変換する。情報端末装置４はインターネット、ＬＡＮ(Local Area Network)又は携帯電話網等の通信網Ｎによりサーバ５に相互に接続されている。なお、録画装置１は通信網Ｎによりサーバ５及び情報端末装置４に相互に接続されていてもよい。情報端末装置４は変換した利用可能情報をサーバ５へ出力する。例えば、情報端末装置４はマークを番組サイトへのリンクに変換し、変換した番組サイトへのリンクをサーバ５へ出力する。
【００１７】
サーバ５はプラットフォーム、サーバコンピュータ又はパーソナルコンピュータ等である。サーバ５は情報端末装置４から利用可能情報を取得する。サーバ５は取得した利用可能情報に対応するサービスを情報端末装置４へ出力する。例えば、サーバ５は情報端末装置４から番組サイトへのリンクを取得した場合、番組サイトの画面を情報端末装置４へ出力する。情報端末装置４は番組サイトの画面をサーバ５から取得し、取得した番組サイトの画面を表示する。
【００１８】
以下、本実施形態に係る情報処理システムの詳細を説明する。図２は録画装置１のハードウェア群を示すブロック図である。図２に示す録画装置１は予約装置１０、光ディスクドライブ１８０及びＨＤＤ（Hard Disc Drive）１８１を備える。予約装置１０はＣＰＵ(Central Processing Unit)１１、記憶部１２、ＲＡＭ１３、受信部１４、インターフェイス１５、チューナ１６、計時部（時計部）１７及びＩＦ部１８を備える。
【００１９】
ＣＰＵ１１は、バスを介してハードウェア各部と接続されている。ＣＰＵ１１は例えば一もしくは複数のＣＰＵ又はマルチコアＣＰＵ等を備える。ＣＰＵ１１は、記憶部１２に記憶されたプログラム１２Ｐに従いハードウェアの各部を制御する。
【００２０】
記憶部１２は例えばハードディスクまたは大容量メモリ等である。記憶部１２にはＣＰＵ１１が処理を行う際に必要とする種々のデータ、番組情報ＤＢ１２１、利用可能情報ＤＢ１２２及びプログラム１２Ｐを格納する。
【００２１】
ＲＡＭ１３は例えばＳＲＡＭ（Static Random Access Memory）、ＤＲＡＭ（Dynamic Random Access Memory）、フラッシュメモリ等である。ＲＡＭ１３は、記憶部としても機能し、ＣＰＵ１１による各種プログラムの実行時に発生する種々のデータを一時的に記憶する。
【００２２】
受信部１４は送信機３からの信号を受信する。受信部１４は、ユーザによって操作された送信機３から信号を受信し、ＣＰＵ１１は、受信部１４が受信した信号に応じた処理を実行する。ＩＦ部１８はインターフェイスであり、ＨＤＤ１８１に接続され、ＨＤＤ１８１との間で信号の送受信を行う。
【００２３】
チューナ１６は図示しないアンテナに接続され、アンテナを通じて、テレビジョン放送による放送信号を受信する。ＣＰＵ１１は受信した放送信号をチューナ１６から取得し、取得した放送信号をデコードすることにより映像信号を生成する。ＣＰＵ１１は生成した映像信号をエンコードして動画（番組）に変換する。ＣＰＵ１１は変換した番組をＨＤＤ１８１に記憶する。またチューナ１６は放送信号を介して提供される番組表６０（図７参照）を受信する。番組表６０には番組、番組情報に対応するタグ、番組に関する情報を示す番組情報等が記憶されている。タグとは番組情報を分類するための種別であり、例えばリンク、出演者、放送局、タイトル、ストーリー又は登録番号等が記憶される。
【００２４】
インターフェイス１５は、例えばＨＤＭＩ（High-Definition Multimedia Interface:登録商標）又はＣＥＣ（Consumer Electronics Control）の規格に従った制御データを表示装置２との間で送受信する。計時部１７は、例えば現在の時点における時刻を計時し、ＣＰＵ１１の要求に従って、計時結果をＣＰＵ１１に出力する。
【００２５】
図３は番組情報ＤＢ１２１に格納されているデータの一例を示す図である。番組情報ＤＢ１２１は番組情報等を記憶するデータベースである。番組情報ＤＢ１２１は番組列、番組情報列及びタグ列等を備える。番組列には番組の名称が記憶される。番組情報列には番組に関連する番組情報が記憶される。タグ列には番組情報に対応するタグが記憶される。番組、タグ及び番組に関連する番組情報は番組表６０に含まれており、ＣＰＵ１１は番組表６０を受信した場合、番組、タグ及び番組に関連する番組情報を番組情報ＤＢ１２１に記憶する。なお、各列の情報は互いに対応づけられている。
【００２６】
図４は利用可能情報ＤＢ１２２に格納されているデータの一例を示す図である。利用可能情報ＤＢ１２２は番組情報が利用可能情報であるか否か等を記憶するデータベースである。利用可能情報ＤＢ１２２はタグ列及び利用可能列等を備える。タグ列には番組情報に対応するタグが記憶される。利用可能列には番組情報に対応するタグが利用可能タグであるか否かが記憶される。利用可能列が「○」であった場合、番組情報に対応するタグが利用可能タグであることを示す。利用可能列が「×」であった場合、番組情報に対応するタグが利用可能タグでないことを示す。番組情報に対応するタグが利用可能タグであった場合、ＣＰＵ１１は番組情報を利用可能情報であると判断する。タグ列及び利用可能列は予め登録されている。なお、各列の情報は互いに対応づけられている。
【００２７】
図５は情報端末装置４のハードウェア群を示すブロック図である。図５に示す情報端末装置４は、ＣＰＵ４１、記憶部４２、ＲＡＭ４３、入力部４４、表示部４５、通信部４６及び撮像部４７を備える。ＣＰＵ４１及びＲＡＭ４３の作用及び動作は、録画装置１のＣＰＵ１１及びＲＡＭ１３の作用及び動作と同様であるため、簡潔のため記載を省略する。
【００２８】
記憶部４２は例えばハードディスクまたは大容量メモリ等である。記憶部４２にはＣＰＵ４１が処理を行う際に必要とする種々のデータ及びプログラム４２Ｐを格納する。
【００２９】
入力部４４はタッチパネル等の入力デバイスであり、受け付けた操作情報をＣＰＵ４１へ出力する。表示部４５はＣＰＵ４１から出力された画像データを出力する。表示部４５は例えば液晶画面である。通信部４６は、例えば無線ＬＡＮカード又は携帯電話用通信モジュール等であり、通信網Ｎを介して各種情報を情報端末装置４との間で送受信する。
【００３０】
撮像部４７は例えばＣＣＤカメラ又はＣＭＯＳカメラ等であり、ＣＣＤ又はＣＯＭＳ等を介して入力された光信号を光電変換することにより画像データを取得する。
【００３１】
図６はサーバ５のハードウェア群を示すブロック図である。図６に示すサーバ５は、ＣＰＵ５１、記憶部５２、ＲＡＭ５３、入力部５４、表示部５５及び通信部５６を備える。ＣＰＵ５１及びＲＡＭ５３の作用及び動作は、録画装置１のＣＰＵ１１及びＲＡＭ１３の作用及び動作と同様であるため、簡潔のため記載を省略する。
【００３２】
記憶部５２は例えばハードディスクまたは大容量メモリ等である。記憶部５２にはＣＰＵ５１が処理を行う際に必要とする種々のデータ及びプログラム５２Ｐを格納する。
【００３３】
入力部５４はマウス又はキーボード等の入力デバイスであり、受け付けた操作情報をＣＰＵ５１へ出力する。表示部５５はＣＰＵ５１から出力された画像データを出力する。表示部５５は例えば液晶画面である。通信部５６は、例えば無線ＬＡＮカード又は携帯電話用通信モジュール等であり、通信網Ｎを介して各種情報を情報端末装置４との間で送受信する。
【００３４】
図７は番組表６０を表示するための番組表画面６を説明する説明図である。図８は番組表画面６の一部を拡大した拡大図である。番組表画面６は左上に番組情報欄６１を備える。番組情報欄６１は上部に設けられたリンク６１１と、リンク６１１の下部に設けられたリンク６１２と、リンク６１２の下部に設けられたリンク６１３と、リンク６１３の下部に設けられたリンク６１４と、リンク６１４の左下部に設けられたマーク６１５と、マーク６１５の下部に設けられたマーク６１６と、マーク６１５の右部に設けられたマーク６１７と、マーク６１５の右下部に設けられたマーク６１８とを備える。
【００３５】
番組情報欄６１は番組情報を表示するための欄である。リンク６１１は例えば、パーソナルコンピュータ用の番組のホームページを表示するためのＵＲＬである。リンク６１２は例えば、スマートフォン用の番組のホームページを表示するためのＵＲＬである。リンク６１３及び６１４は例えば、番組のＳＮＳ(Social Networking Service)を表示するためのＵＲＬである。マーク６１５はリンク６１１を変換したＱＲコードである。マーク６１６はリンク６１２を変換したＱＲコードである。マーク６１７はリンク６１３を変換したＱＲコードである。マーク６１８はリンク６１４を変換したＱＲコードである。
【００３６】
番組表画面６の動作は以下の通りである。ＣＰＵ１１は番組表６０をチューナ１６で受信し、受信した番組表６０を表示装置２に表示させる。ユーザが番組表６０内の番組Ａを送信機３により選択した場合、ＣＰＵ１１は番組表画面６に番組情報欄６１を表示させる。ＣＰＵ１１は番組情報ＤＢ１２１を参照し、番組Ａに関連する「リンクＡ」、「リンクＢ」、「リンクＣ」及び「リンクＤ」をリンク６１１、６１２、６１３及び６１４に表示する。ＣＰＵ１１は番組情報ＤＢ１２１及び利用可能情報ＤＢ１２２を参照する。ＣＰＵ１１は、「リンクＡ」、「リンクＢ」、「リンクＣ」及び「リンクＤ」に対応するタグ「リンク」が「Ｏ」であるため、タグ「リンク」が利用可能タグであると判断する。ＣＰＵ１１はタグ「リンク」に対応づけられた「リンクＡ」、「リンクＢ」、「リンクＣ」及び「リンクＤ」を抽出する。ＣＰＵ１１は「リンクＡ」、「リンクＢ」、「リンクＣ」及び「リンクＤ」の夫々をエンコード等によりマーク６１５、６１６、６１７及び６１８に変換する。ＣＰＵ１１は変換したマーク６１５、６１６、６１７及び６１８を番組情報欄６１に表示させる。
【００３７】
図９は情報処理システムの動作を説明するための説明図である。以下、本実施形態における情報端末装置４及びサーバ５側の処理を説明する。ＣＰＵ１１が表示装置２にマーク６１５、６１６、６１７及び６１８を表示させた後、ユーザは例えば情報端末装置４の撮像部４７でマーク６１６を撮像する。情報端末装置４のＣＰＵ４１は撮像したマーク６１６にエンコード等の処理を行うことで「リンクＢ」に変換する。ＣＰＵ４１は変換した「リンクＢ」を表示部４５のリンク５１１に表示する。
【００３８】
ユーザが入力部４４で「リンクＢ」のリンク５１１をタッチした場合、ＣＰＵ４１は「リンクＢ」の選択を受け付ける。ＣＰＵ４１は選択を受け付けたリンクＢをサーバ５に通信部４６から出力する。サーバ５のＣＰＵ５１は「リンクＢ」を通信部５６で情報端末装置４から取得する。ＣＰＵ５１はスマートフォン用の番組Ａのホームページを通信部５６から情報端末装置４へ出力する。ＣＰＵ４１はスマートフォン用の番組Ａのホームページを通信部４６でサーバ５から取得する。ＣＰＵ４１はスマートフォン用の番組Ａのホームページを表示部４５に表示する。
【００３９】
図１０は録画装置１におけるマークを表示するマーク表示処理の処理手順を示したフローチャートである。録画装置１のＣＰＵ１１は番組表６０をチューナ１６で受信し、受信した番組表６０を表示装置２に表示させる（ステップＳ１１）。ＣＰＵ１１は番組の選択を受け付ける（ステップＳ１２）。ＣＰＵ１１は番組情報ＤＢ１２１を参照し、選択を受け付けた番組に関連する一又は複数の番組情報を番組情報欄６１に表示させる（ステップＳ１３）。ＣＰＵ１１は番組情報ＤＢ１２１及び利用可能情報ＤＢ１２２を参照し、タグ及び利用可能タグに基づいて一又は複数の番組情報から一又は複数の利用可能情報を抽出する（ステップＳ１４）。ＣＰＵ１１は抽出した一又は複数の利用可能情報をエンコード等の一又は複数のマークに変換する（ステップＳ１５）。ＣＰＵ１１は変換した一又は複数のマークを番組情報欄６１に表示させ（ステップＳ１６）、処理を終了する。
【００４０】
図１１は情報端末装置４及びサーバ５側における利用可能情報を表示する番組情報表示処理の処理手順を示したフローチャートである。ＣＰＵ４１は撮像部４７で表示装置２に表示されたマークを撮像する（ステップＳ２１）。ＣＰＵ４１は撮像部４７で撮像したマークを利用可能情報に変換する（ステップＳ２２）。ＣＰＵ４１は変換した利用可能情報を表示部４５に表示する（ステップＳ２３）。ＣＰＵ４１は利用可能情報の選択を入力部４４で受け付ける（ステップＳ２４）。
【００４１】
ＣＰＵ４１は選択を受け付けた利用可能情報をサーバ５へ通信部４６から出力する（ステップＳ２５）。ＣＰＵ５１は利用可能情報を通信部５６で情報端末装置４から取得する（ステップＳ２６）。ＣＰＵ５１はＵＲＬ画面を通信部５６から情報端末装置４へ出力する（ステップＳ２７）。ＣＰＵ４１はＵＲＬ画面を通信部４６でサーバ５から取得する（ステップＳ２８）。ＣＰＵ４１は表示部４５にＵＲＬ画面を表示し（ステップＳ２９）、処理を終了する。
【００４２】
本実施形態によれば、ユーザが撮像部４７でマークを撮像することで容易に利用可能情報を利用することができる。
【００４３】
なお、番組情報欄６１に番組情報を表示する際、マークを表示するか否かを選択させてもよい。選択方法は例えば、ＣＰＵ１１が別のウィンドウを表示させ、ウィンドウ内にＱＲコードを表示するか否かを選択するＹＥＳ又はＮＯのボタンを表示させる。ユーザが送信機３でＹＥＳを選択した場合、ＣＰＵ１１は番組情報欄６１にマークを表示することを禁止する。あるいは送信機３の任意のボタンを所定の時間以上押下することで番組情報欄６１にマークを表示することを禁止してもよい。所定の時間とは例えば５秒である。
【００４４】
また本実施形態ではマークを番組表画面６に表示させたが、マークは番組の録画予約を行う録画予約画面（図示せず）、録画した番組を再生する再生画面（図示せず）又は録画した番組を表示する番組表示画面（図示せず）等の任意の画面に表示させることができる。
【００４５】
実施の形態２
実施の形態２はマークを番組情報欄６１にポップアップさせる実施形態である。以下本発明の実施の形態２をその実施の形態を示す図面に基づいて詳述する。図１２は番組表画面６の一部を拡大した拡大図である。以下、特に説明する構成、作用以外の構成及び作用は実施の形態１と同等であり、簡潔のため記載を省略する。
【００４６】
図１２Ａはマークをポップアップさせる前の番組表画面６を示す説明図である。図１２Ｂはマークをポップアップさせた後の番組表画面６を示す説明図である。ユーザが番組表６０内の番組Ａを送信機３により選択した場合、図１２Ａに示すようにＣＰＵ１１は番組表画面６にリンク６１１から６１４を含む番組情報欄６１を表示させる。ユーザは送信機３でリンク６１１を選択した場合、ＣＰＵ１１は「リンクＡ」のリンク６１１をマーク６１５に変換する。ＣＰＵ１１は、図１２Ｂに示すようにリンク６１１の右部に変換したマーク６１５をポップアップで表示させる。
【００４７】
図１３は本実施形態におけるマーク表示処理の処理手順を示したフローチャートである。ステップＳ１１〜Ｓ１４の処理は上述の実施の形態１に係る情報処理システムと同様であるので、簡潔のため説明を省略する。ＣＰＵ１１はステップＳ１４の処理を終了した後、利用可能情報の選択を受け付ける（ステップＳ３１）。ＣＰＵ１１は選択した利用可能情報をマークに変換する（ステップＳ３２）。ＣＰＵ１１は変換したマークを番組情報欄６１にポップアップで表示させ（ステップＳ３３）、処理を終了する。
【００４８】
本実施形態によれば、ポップアップさせることで必要なマークを表示させ、ユーザが必要としないリンクを変換したマークを撮像することを防止できる。
【００４９】
実施の形態３
実施の形態３は複数の利用可能情報を一のマークに変換し、変換した一のマークを番組情報欄６１に表示させる実施形態である。以下本発明の実施の形態３をその実施の形態を示す図面に基づいて詳述する。図１４は番組表画面６の一部を拡大した拡大図である。以下、特に説明する構成、作用以外の構成及び作用は実施の形態１と同等であり、簡潔のため記載を省略する。番組表画面６はリンク６１４の下部にマーク６１９を備える。マーク６１９はリンク６１１から６１４を変換したマークである。
【００５０】
ユーザが番組表６０内の番組Ａを送信機３により選択した場合、ＣＰＵ１１は番組情報ＤＢ１２１を参照し、番組Ａに関連する「リンクＡ」、「リンクＢ」、「リンクＣ」及び「リンクＤ」をリンク６１１、６１２、６１３及び６１４に表示する。ＣＰＵ１１は、「リンクＡ」、「リンクＢ」、「リンクＣ」及び「リンクＤ」に対応するタグ「リンク」が「Ｏ」であるため、タグ「リンク」が利用可能タグであると判断する。ＣＰＵ１１はタグ「リンク」に対応づけられた「リンクＡ」、「リンクＢ」、「リンクＣ」及び「リンクＤ」を抽出する。ＣＰＵ１１は複数の「リンクＡ」、「リンクＢ」、「リンクＣ」及び「リンクＤ」をエンコード等の処理を行うことで一のマーク６１９に変換する。ＣＰＵ１１は変換したマーク６１９を番組情報欄６１に表示させる。
【００５１】
図１５は情報処理システムの動作を説明するための説明図である。リンク５１１から５１４は夫々、リンク６１１から６１４と同様のＵＲＬである。ＣＰＵ１１が表示装置２にマーク６１９を表示させた後、ユーザは例えば情報端末装置４の撮像部４７でマーク６１９を撮像する。情報端末装置４のＣＰＵ４１は撮像したマーク６１９にデコード等の処理を行うことで「リンクＡ」、「リンクＢ」、「リンクＣ」及び「リンクＤ」に変換する。ＣＰＵ４１は変換した「リンクＡ」、「リンクＢ」、「リンクＣ」及び「リンクＤ」を表示部４５のリンク５１１から５１４に表示する。以下、実施の形態１と同様の処理であり、簡潔のため記載を省略する。
【００５２】
図１６は本実施形態におけるマーク表示処理の処理手順を示したフローチャートである。ステップＳ１１〜Ｓ１２の処理は上述の実施の形態１に係る情報処理システムと同様であるので、簡潔のため説明を省略する。ＣＰＵ１１はステップＳ１２の処理を終了した後、複数の番組情報を番組情報欄６１に表示させる（ステップＳ４１）。ＣＰＵ１１は番組情報ＤＢ１２１及び利用可能情報ＤＢ１２２を参照し、複数の番組情報から複数の利用可能情報を抽出する（ステップＳ４２）。ＣＰＵ１１は抽出した複数の利用可能情報を一のマークに変換する（ステップＳ４３）。ＣＰＵ１１は変換した一のマークを番組情報欄６１に表示させ（ステップＳ４４）、処理を終了する。
【００５３】
図１７は本実施形態における番組情報表示処理の処理手順を示したフローチャートである。ステップＳ２４〜Ｓ２９の処理は上述の実施の形態１に係る情報処理システムと同様であるので、簡潔のため説明を省略する。ＣＰＵ４１は撮像部４７で表示装置２に表示された一のマークを撮像する（ステップＳ５１）。ＣＰＵ４１は撮像部４７で撮像した一のマークを複数の利用可能情報に変換する（ステップＳ５２）。ＣＰＵ４１は変換した複数の利用可能情報を表示部４５に表示し（ステップＳ５３）、処理をステップＳ２４に移す。
【００５４】
本実施形態によれば、複数のリンクを一のマークに変換し、変換した一のマークを撮像部４７で撮像することでまとめて複数のリンクを情報端末装置４の表示部４５に表示させることができるため、さらに利便性が向上する。
【００５５】
実施の形態４
実施の形態４は登録番号を示すマークを表示する実施形態である。以下本発明の実施の形態４をその実施の形態を示す図面に基づいて詳述する。図１８は登録番号を表示した登録画面７を示す説明図である。以下、特に説明する構成、作用以外の構成及び作用は実施の形態１と同等であり、簡潔のため記載を省略する。登録画面７は中央部に登録番号欄７１と、登録番号欄７１の右部に設けられたマーク７２とを備える。
【００５６】
登録番号欄７１は登録番号を表示するための欄である。マーク７２は登録番号及び登録番号を入力する入力画面８（図２１参照）に転送するための転送リンクを変換した記号である。
【００５７】
以下、登録画面７の動作を説明する。ＣＰＵ１１は登録番号欄７１に登録番号「１１１１・・・」を表示させる。ＣＰＵ１１は記憶部１２に記憶された転送リンクを読み出す。ＣＰＵ１１は登録番号「１１１１・・・」に対応するタグ「登録番号」が「○」であるため、タグ「登録番号」が利用可能タグであると判断する。ＣＰＵ１１は登録番号「１１１１・・・」を抽出する。ＣＰＵ１１は登録番号「１１１１・・・」及び転送リンクをエンコード等によりマーク７２に変換し、変換したマーク７２を登録画面７に表示させる。
【００５８】
ＣＰＵ１１が表示装置２にマーク７２を表示させた後、ユーザは例えば情報端末装置４の撮像部４７でマーク７２を撮像する。情報端末装置４のＣＰＵ４１は撮像したマーク７２にデコード等の処理を行うことで登録番号「１１１１・・・」及び転送リンクに変換する。ＣＰＵ４１は転送リンクに基づいて入力画面８の要求をサーバ５に通信部４６から出力する。ＣＰＵ５１は入力画面８の要求を通信部５６で情報端末装置４から取得する。ＣＰＵ５１は入力画面８を通信部５６から情報端末装置４へ出力する。ＣＰＵ４１は入力画面８を通信部４６でサーバ５から取得する。ＣＰＵ４１はスマートフォン用の番組Ａのホームページを表示部４５に表示する。
【００５９】
図１９は入力画面８を示す説明図である。入力画面８は中央部に設けられた登録番号入力欄８１と、登録番号入力欄８１の右下に設けられた決定ボタン８２とを備える。
【００６０】
ＣＰＵ４１は登録番号入力欄８１に登録番号「１１１１・・・」の入力を受け付ける。ユーザが決定ボタン８２を入力部４４で入力した場合、ＣＰＵ４１は記憶部４２に予め記憶されたユーザＩＤを読み出す。ユーザＩＤとは情報端末装置４に係るユーザの識別情報である。ＣＰＵ４１は読みだしたユーザＩＤ及び登録番号「１１１１・・・」をサーバ５に通信部４６から出力する。ＣＰＵ５１はユーザＩＤ及び登録番号「１１１１・・・」を通信部５６で情報端末装置４から取得する。ＣＰＵ５１はユーザＩＤ及び登録番号「１１１１・・・」を記憶部５２に記憶することで録画装置１と情報端末装置４に係るユーザとを紐づけ、処理を終了する。
【００６１】
図２０は本実施形態におけるマーク表示処理の処理手順を示したフローチャートである。ＣＰＵ１１は登録番号欄７１に登録番号を表示させる（ステップＳ６１）。ＣＰＵ１１は記憶部１２に記憶された転送リンクを読み出す（ステップＳ６２）。ＣＰＵ１１は番組情報ＤＢ１２１及び利用可能情報ＤＢ１２２を参照し、タグ及び利用可能タグに基づいて登録番号を抽出する（ステップＳ６３）。ＣＰＵ１１は登録番号及び転送リンクをエンコード等によりマーク７２に変換する（ステップＳ６４）。ＣＰＵ１１は変換したマーク７２を登録画面７に表示させ（ステップＳ６５）、処理を終了する。
【００６２】
図２１は本実施形態における番組情報表示処理の処理手順を示したフローチャートである。ＣＰＵ１１が表示装置２にマーク７２を表示させた後、ユーザは例えば情報端末装置４の撮像部４７でマーク７２を撮像する（ステップＳ７１）。情報端末装置４のＣＰＵ４１は撮像したマーク７２にデコード等の処理を行うことで登録番号及び転送リンクに変換する（ステップＳ７２）。ＣＰＵ４１は転送リンクに基づいて入力画面８の要求をサーバ５に通信部４６から出力する（ステップＳ７３）。ＣＰＵ５１は転送リンクに基づいて入力画面８の要求を通信部５６で情報端末装置４から取得する（ステップＳ７４）。ＣＰＵ５１は入力画面８を通信部５６から情報端末装置４へ出力する（ステップＳ７５）。ＣＰＵ４１は入力画面８を通信部４６でサーバ５から取得する（ステップＳ７６）。ＣＰＵ４１は入力画面８を表示部４５に表示する（ステップＳ７７）。
【００６３】
ＣＰＵ４１は登録番号入力欄８１に変換した登録番号の入力を受け付ける（ステップＳ７８）。ＣＰＵ４１は記憶部４２に予め記憶されたユーザＩＤを読み出す（ステップＳ７９）。ＣＰＵ４１は読みだしたユーザＩＤ及び登録番号をサーバ５に通信部４６から出力する（ステップＳ８０）。ＣＰＵ５１はユーザＩＤ及び登録番号を通信部５６で情報端末装置４から取得する（ステップＳ８１）。ＣＰＵ５１はユーザＩＤ及び登録番号を記憶部５２に記憶することでユーザＩＤと登録番号とを紐づけ（ステップＳ８２）、処理を終了する。
【００６４】
本実施形態によれば、登録番号及びユーザＩＤを変換したマークを撮像部４７で撮像することで容易に登録番号とユーザＩＤを紐づけることができるため、ユーザが入力画面８に登録番号を入力する手間を省くことができる。
【００６５】
実施の形態５
実施の形態５における情報端末装置４は利用可能情報及び録画装置１に登録されたユーザの識別情報を示す登録ＩＤを変換したマークを撮像部４７で撮像し、撮像したマークの利用可能情報及び登録ＩＤに基づいてサーバ５からサービスを取得する実施形態である。すなわち、登録ＩＤとは情報処理装置に係るユーザを識別するための識別情報である。以下本発明の実施の形態５をその実施の形態を示す図面に基づいて詳述する。図２２は番組情報ＤＢ１２１に格納されているデータの一例を示す図である。以下、特に説明する構成、作用以外の構成及び作用は実施の形態１と同等であり、簡潔のため記載を省略する。
【００６６】
図２３は番組表画面６を説明する説明図である。番組表画面６は左上部に設けられた番組欄６４１と、番組欄６４１の右部に設けられたマーク６４２とを備える。番組欄６４１は番組Ａに関する番組情報を表示するための欄である。マーク６４２は番組Ａに関する利用可能情報「リンクＡ」及び登録ＩＤを変換したマークである。
【００６７】
以下、番組表画面６の動作を説明する。ＣＰＵ１１は番組表６０をチューナ１６で受信し、受信した番組表６０を表示装置２に表示させる。ユーザが番組表６０内の番組欄６４１を送信機３により選択した場合、ＣＰＵ１１は番組欄６４１の番組Ａを選択する。ＣＰＵ１１は番組情報ＤＢ１２１及び利用可能情報ＤＢ１２２を参照し、番組Ａに対応する番組情報の内、「リンクＡ］のタグ「リンク」が「○」であると判断する。ＣＰＵ１１は利用可能情報「リンクＡ」を抽出する。ＣＰＵ１１は記憶部１２から録画装置１に登録されたユーザのＩＤを示す登録ＩＤを読み出す。ＣＰＵ１１は「リンクＡ」及び登録ＩＤを情報処理によりマーク６４２に変換する。ＣＰＵ１１は変換したマーク６４２を番組表画面６に表示させる。
【００６８】
以下、本実施形態における情報端末装置４及びサーバ５側の処理を説明する。ＣＰＵ１１が表示装置２にマーク６４２を表示させた後、ユーザは例えば情報端末装置４の撮像部４７でマーク６４２を撮像する。情報端末装置４のＣＰＵ４１は撮像したマーク６４２にエンコード等の処理を行うことで「リンクＡ」及び登録ＩＤに変換する。ＣＰＵ４１は変換した「リンクＡ」を表示部４５に表示する。
【００６９】
ユーザが入力部４４でリンクＡをタッチした場合、ＣＰＵ４１は「リンクＡ」の選択を受け付ける。ＣＰＵ４１は選択を受け付けた「リンクＡ」及び登録ＩＤをサーバ５に通信部４６から出力する。サーバ５のＣＰＵ５１は「リンクＡ」及び登録ＩＤを通信部５６で情報端末装置４から取得する。ＣＰＵ５１は「リンクＡ」及び登録ＩＤを紐づけて記憶部５２に記憶する。ＣＰＵ５１はスマートフォン用の番組Ａのホームページを通信部５６から情報端末装置４へ出力する。ＣＰＵ４１はスマートフォン用の番組Ａのホームページを通信部４６でサーバ５から取得する。ＣＰＵ４１はスマートフォン用の番組Ａのホームページを表示部４５に表示する。
【００７０】
図２４は本実施形態におけるマーク表示処理の処理手順を示したフローチャートである。ステップＳ１１〜Ｓ１２の処理は上述の実施の形態１に係る情報処理システムと同様であるので、簡潔のため説明を省略する。ＣＰＵ１１はステップＳ１２の処理を終了した後、番組情報ＤＢ１２１及び利用可能情報ＤＢ１２２を参照し、タグ及び利用可能タグに基づいて選択した番組に対応する番組情報の内、利用可能情報を抽出する（ステップＳ９１）。ＣＰＵ１１は記憶部１２から登録ＩＤを読み出す（ステップＳ９２）。ＣＰＵ１１は利用可能情報及び登録ＩＤをマークに変換する（ステップＳ９３）。ＣＰＵ１１は変換したマークを番組表画面６に表示させ（ステップＳ９４）、処理を終了する。
【００７１】
図２５は本実施形態における番組情報表示処理の処理手順を示したフローチャートである。処理の一部は上述の実施の形態１に係る情報処理システムと同様であるので、簡潔のため説明を省略する。ＣＰＵ４１はステップＳ２１の処理を終了した後、撮像したマークを利用可能情報及び登録ＩＤに変換し（ステップＳ１０１）、処理をステップＳ２３に移す。ＣＰＵ４１はステップＳ２４を終了した後、利用可能情報及び登録ＩＤを通信部４６からサーバ５へ出力する（ステップＳ１０２）。ＣＰＵ５１は利用可能情報及び登録ＩＤを通信部５６で情報端末装置４から取得する（ステップＳ１０３）。ＣＰＵ５１は利用可能情報及び登録ＩＤを紐づけて記憶部５２に記憶し（ステップＳ１０４）、処理をステップＳ２７に移す。
【００７２】
本実施形態によれば、利用可能情報及び登録ＩＤを変換したマークを撮像部４７で撮像することで容易に利用可能情報及び登録ＩＤ紐づけることができるため、サーバ側の使用者が容易に利用可能情報を利用したユーザを把握することができる。
【００７３】
実施の形態６
実施の形態６における情報端末装置４は、録画番組（番組情報）の内、録画番組のタイムスタンプ、放送局及び放送日時等の画面特定情報（利用可能情報）を抽出し、抽出したサーバ５へ出力する。サーバ５は画面特定情報を取得し、取得した画面特定情報に基づいてシーン関連情報を情報端末装置４へ出力する。タイムスタンプとは例えば、番組が放送を開始した開始時間から特定のシーンまでに経過した経過時間である。シーンとは番組内の特定の時間に表示された画像である。シーン関連情報とは録画番組の特定のシーンに関連する情報であり、例えばシーンに登場する出演者である。以下本発明の実施の形態６をその実施の形態を示す図面に基づいて詳述する。
【００７４】
本実施形態における録画装置１の記憶部１２はさらに画面特定情報ＤＢ１２３を備える。図２６は画面特定情報ＤＢ１２３に格納されているデータの一例を示す図である。以下、特に説明する構成、作用以外の構成及び作用は実施の形態５と同等であり、簡潔のため記載を省略する。なお、本実施形態における録画装置１は事前に番組を録画しているものとする。
【００７５】
画面特定情報ＤＢ１２３は画面特定情報を記憶するデータベースである。画面特定情報ＤＢ１２３はシーン列、番組列、放送局列、放送日時列及びタイムスタンプ列等を備える。シーン列には番組内の特定のシーンが記憶される。番組列には番組の名称が記憶される。放送局列には番組を放送する放送局の名称が記憶される。放送日時列には番組を放送する放送日時が記憶される。タイムスタンプ列にはシーン毎のタイムスタンプが記憶される。タイムスタンプ列には例えば、「１：００：００」が記憶され、開始時間から１時間経過した経過時間であることを示す。ＣＰＵ１１は番組を録画した場合、録画した番組の名称、放送局の名称及び放送日時を画面特定情報ＤＢ１２３に記憶する。ＣＰＵ１１は録画番組を所定の時間毎にタイムスタンプを取得し、取得したタイムスタンプ及びタイムスタンプに対応するシーンを画面特定情報ＤＢ１２３に記憶する。所定の時間とは例えば５分である。なお、各列の情報は互いに対応づけられている。
【００７６】
また本実施形態におけるサーバ５の記憶部５２はさらにシーン関連情報ＤＢ５２１を備える。図２７はシーン関連情報ＤＢ５２１に格納されているデータの一例を示す図である。シーン関連情報ＤＢ５２１はシーンに関連するシーン関連情報を記憶するデータベースである。シーン関連情報ＤＢ５２１は番組列、放送局列、放送日時列、経過時間帯列及びシーン関連情報列等を備える。番組列、放送局列及び放送日時列は画面特定情報ＤＢ１２３の番組列、放送局列及び放送日時列と同様の構成であり、簡潔のため記載を省略する。経過時間帯列はある経過時間から所定の時間が経過した経過時間までの間を示す経過時間帯が記憶される。経過時間帯列には例えば、「１：００：００〜１：０４：５９」が記憶され、開始時間から１時間〜１時間４分５９秒経過した経過時間帯であることを示す。シーン関連情報列にはシーン関連情報が記憶される。シーン関連情報ＤＢ５２１のシーン関連情報は番組、放送局、放送日時、経過時間帯に関連付けて予めサーバ５側で登録されている。例えば、シーンＡが映る時間帯「１：００：００〜１：０４：５９」に出演者Ａ及びＢが解答Ａをしていた場合、サーバ５の使用者は入力部５４で番組Ａ、放送局Ａ、放送日時「午後１：００」、経過時間帯「１：００：００〜１：０４：５９」及びシーン関連情報「出演者Ａ及びＢは解答Ａをした」をシーン関連情報ＤＢ５２１に登録する。なお、各列の情報は互いに対応づけられている。
【００７７】
図２８は番組内のシーンを特定するためのシーン特定画面９を説明する説明図である。シーン特定画面９は下部に設けられたシーン欄９１Ａ、９１Ｂ（以下、場合によりシーン欄９１とする）等…と、右上部に設けられたマーク９３とを備える。シーン欄９１Ａ及び９１Ｂは夫々タイムスタンプ欄９２Ａ及び９２Ｂ（以下、場合によりタイムスタンプ欄９２とする）等…を備える。シーン欄９１はシーンを特定するための欄である。タイムスタンプ欄９２はシーンのタイムスタンプを表示するための欄である。マーク９３は画面特定情報を変換したマークである。
【００７８】
以下、シーン特定画面９の動作を説明する。ユーザが送信機３を操作し、ＣＰＵ１１はシーン特定画面９を表示装置２に表示させる。ユーザが送信機３によりシーン欄９１Ａを選択した場合、ＣＰＵ１１はシーンＡの選択を受け付ける。ＣＰＵ１１は画面特定情報ＤＢ１２３を参照し、シーンＡに対応づけられた番組Ａ、放送局Ａ、放送日時「午後１：００」及びタイムスタンプ「１：００：００」を抽出する。ＣＰＵ１１は記憶部１２から登録ＩＤを読み出す。ＣＰＵ１１は番組Ａ、放送局Ａ、放送日時「午後１：００」、タイムスタンプ「１：００：００」及び登録ＩＤをマーク９３に変換する。ＣＰＵ１１はマーク９３をシーン特定画面９に表示する。
【００７９】
以下、本実施形態における情報端末装置４及びサーバ５側の処理を説明する。ＣＰＵ１１が表示装置２にマーク９３を表示させた後、ユーザは例えば情報端末装置４の撮像部４７でマーク９３を撮像する。情報端末装置４のＣＰＵ４１は撮像したマーク９３にエンコード等の処理を行うことで番組Ａ、放送局Ａ、放送日時「午後１：００」及びタイムスタンプ「１：００：００」及び登録ＩＤに変換する。
【００８０】
ＣＰＵ４１は番組Ａ、放送局Ａ、放送日時「午後１：００」、タイムスタンプ「１：００：００」及び登録ＩＤをサーバ５に通信部４６から出力する。サーバ５のＣＰＵ５１は番組Ａ、放送局Ａ、放送日時「午後１：００」、タイムスタンプ「１：００：００」及び登録ＩＤを通信部５６で情報端末装置４から取得する。ＣＰＵ５１はシーン関連情報ＤＢ５２１を参照し、番組Ａ、放送局Ａ、放送日時「午後１：００」、経過時間帯「１：００：００〜１：０４：５９」にシーンＡがあるため、番組Ａ、放送局Ａ、放送日時「午後１：００」、経過時間帯「１：００：００〜１：０４：５９」に対応するシーン関連情報「出演者Ａ及びＢは解答Ａをした」を抽出する。ＣＰＵ１１はシーン関連情報「出演者Ａ及びＢは解答Ａをした」に紐づけて登録ＩＤを記憶部１２に記憶する。ＣＰＵ５１はシーン関連情報「出演者Ａ及びＢは解答Ａをした」を情報端末装置４へ通信部５６から出力する。ＣＰＵ４１はシーン関連情報「出演者Ａ及びＢは解答Ａをした」をサーバ５から通信部４６で取得する。ＣＰＵ４１はシーン関連情報「出演者Ａ及びＢは解答Ａをした」を表示部４５に表示し、処理を終了する。
【００８１】
図２９はマーク表示処理の処理手順を示したフローチャートである。ユーザが送信機３を操作し、録画装置１のＣＰＵ１１はシーン特定画面９を表示装置２に表示させる（ステップＳ１１１）。ＣＰＵ１１はシーン特定画面９からシーンの選択を受け付ける（ステップＳ１１２）。ＣＰＵ１１は画面特定情報ＤＢ１２３を参照し、シーンに対応づけられた画面特定情報を抽出する（ステップＳ１１３）。ＣＰＵ１１は記憶部１２から登録ＩＤを読み出す（ステップＳ１１４）。ＣＰＵ１１は画面特定情報及び登録ＩＤをマークに変換する（ステップＳ１１５）。ＣＰＵ１１はマークをシーン特定画面９に表示し（ステップＳ１１６）、処理を終了する。
【００８２】
図３０は関連情報表示処理の処理手順を示したフローチャートである。ＣＰＵ４１は撮像部４７で表示装置２に表示されたマークを撮像する（ステップＳ１２１）。ＣＰＵ４１は撮像部４７で撮像したマークを画面特定情報及び登録ＩＤに変換する（ステップＳ１２２）。ＣＰＵ４１は画面特定情報及び登録ＩＤをサーバ５へ通信部４６から出力する（ステップＳ１２３）。ＣＰＵ５１は画面特定情報及び登録ＩＤを通信部５６で情報端末装置４から取得する（ステップＳ１２４）。ＣＰＵ５１はシーン関連情報ＤＢ５２１を参照し、画面特定情報に対応するシーン関連情報を抽出する（ステップＳ１２５）。ＣＰＵ１１はシーン関連情報に紐づけて登録ＩＤを記憶部１２に記憶する（ステップＳ１２６）。ＣＰＵ５１はシーン関連情報を情報端末装置４へ通信部５６から出力する（ステップＳ１２７）。ＣＰＵ４１はシーン関連情報をサーバ５から通信部４６で取得する（ステップＳ１２８）。ＣＰＵ４１はシーン関連情報を表示部４５に表示し（ステップＳ１２９）、処理を終了する。
【００８３】
本実施形態によれば、画面特定情報及び登録ＩＤを変換したマークを撮像部４７で撮像することで容易にシーン関連情報を情報端末装置４へ出力できるため、例えばユーザがシーンに登場する出演者の名前等を理解できるため、ユーザビリティが向上する。
【００８４】
実施の形態７
実施の形態７は録画装置１で画面特定情報及び登録ＩＤを暗号化し、情報端末装置４で画面特定情報及び登録ＩＤを復号化する実施形態である。従来、暗号化していないＱＲコードをユーザ以外の他者が撮像することで秘密漏えい等の問題が起きる場合があった。そこで本実施形態の目的は従来よりセキリティが向上した情報処理システム等を提供することにある。以下本発明の実施の形態７をその実施の形態を示す図面に基づいて詳述する。以下、特に説明する構成、作用以外の構成及び作用は実施の形態６と同等であり、簡潔のため記載を省略する。
【００８５】
ＣＰＵ１１は実施の形態６と同様に画面特定情報ＤＢ１２３を参照し、シーンＡに対応づけられた番組Ａ、放送局Ａ、放送日時「午後１：００」及びタイムスタンプ「１：００：００」を特定し、記憶部１２から登録ＩＤを読み出す。次にＣＰＵ１１は番組Ａ、放送局Ａ、放送日時「午後１：００」、タイムスタンプ「１：００：００」及び登録ＩＤを記憶部１２に記憶された公開鍵で暗号化する。ＣＰＵ１１は暗号化した番組Ａ、放送局Ａ、放送日時「午後１：００」、タイムスタンプ「１：００：００」及び登録ＩＤをマーク９３に変換する。ＣＰＵ１１はマーク９３をシーン特定画面９に表示する。
【００８６】
ＣＰＵ１１が表示装置２にマーク９３を表示させた後、ユーザは例えば情報端末装置４の撮像部４７でマーク９３を撮像する。情報端末装置４のＣＰＵ４１は撮像したマーク９３にエンコード等の処理を行うことで暗号化した画面特定情報及び登録ＩＤに変換する。ＣＰＵ５１は暗号化した画面特定情報及び登録ＩＤを事前にサーバ５でダウンロードしておいた秘密鍵で復号し、番組Ａ、放送局Ａ、放送日時「午後１：００」、タイムスタンプ「１：００：００」及び登録ＩＤを取得する。なお、本実施形態では秘密鍵方式で暗号化を行ったが、共通鍵方式で画面特定情報及び登録ＩＤを暗号化してもよい。
【００８７】
以下、実施の形態６と同様であり、簡潔のため記載を省略する。
【００８８】
図３１はマーク表示処理の処理手順を示したフローチャートである。ステップＳ１１１〜Ｓ１１４の処理は上述の実施の形態６に係る情報処理システムと同様であるので、簡潔のため説明を省略する。ＣＰＵ１１はステップＳ１１４を終了した後、画面特定情報及び登録ＩＤを公開鍵で暗号化する（ステップＳ１３１）。ＣＰＵ１１は暗号化した画面特定情報及び登録ＩＤをマークに変換し（ステップＳ１３２）、処理をステップＳ１１６に移す。
【００８９】
図３２は関連情報表示処理の処理手順を示したフローチャートである。ステップＳ１２２以外の処理は上述の実施の形態６に係る情報処理システムと同様であるので、簡潔のため説明を省略する。ＣＰＵ４１はステップＳ１２１を終了した後、撮像部４７で撮像したマークを暗号化した画面特定情報及び登録ＩＤに変換する（ステップＳ１４１）。ＣＰＵ４１は暗号化した画面特定情報及び登録ＩＤを秘密鍵で復号し（ステップＳ１４２）、処理をステップＳ１２３に移す。
【００９０】
本実施形態によれば、暗号化したマークを撮像部４７で撮像することでマークに含まれる登録ＩＤが情報端末装置４以外に流出するおそれを防止できるため、従来よりセキリティが向上する。
【００９１】
実施の形態８
実施の形態８は録画番組を一時停止した際に表示されるシーンの画面特定情報及び登録ＩＤを抽出する実施形態である。以下本発明の実施の形態８をその実施の形態を示す図面に基づいて詳述する。図３３は録画番組を再生する再生画面１００を説明する説明図である。以下、特に説明する構成、作用以外の構成及び作用は実施の形態８と同等であり、簡潔のため記載を省略する。再生画面１００は右下部に設けられたマーク１０１を備える。マーク１０１は画面特定情報及び登録ＩＤを変換したマークである。
【００９２】
以下、再生画面１００の動作を説明する。ユーザが番組Ａの再生中に送信機３で録画番組を一時停止させる停止ボタンを押した場合、ＣＰＵ１１は番組Ａを一時停止する。ＣＰＵ１１は一時停止した録画番組から画面特定情報を抽出する。すなわちＣＰＵ１１は録画番組の番組表６０から番組Ａ、放送局Ａ、放送日時「午後１：００」を抽出し、一時停止した番組Ａのシーンにおけるタイムスタンプ「１：００：００」を抽出する。ＣＰＵ１１は記憶部１２から登録ＩＤを読み出す。ＣＰＵ１１は番組Ａ、放送局Ａ、放送日時「午後１：００」、タイムスタンプ「１：００：００」及び登録ＩＤをマーク１０１に変換する。ＣＰＵ１１はマーク１０１を再生画面１００に表示する。情報端末装置４及びサーバ５側の処理は同様であり、簡潔のため記載を省略する。
【００９３】
図３４はマーク表示処理の処理手順を示したフローチャートである。ステップＳ１１４〜Ｓ１１６の処理は上述の実施の形態６に係る情報処理システムと同様であるので、簡潔のため説明を省略する。ユーザが送信機３で録画番組を再生させた場合、ＣＰＵ１１は再生画面１００を表示する（ステップＳ１５１）。ユーザが送信機３で一時停止ボタンを押した場合、ＣＰＵ１１は再生画面１００の録画番組を一時停止させる（ステップＳ１５２）。ＣＰＵ１１は一時停止した録画番組から画面特定情報を抽出し（ステップＳ１５３）、処理をステップＳ１１４に移す。
【００９４】
本実施形態によれば、一時停止中の録画番組に表示されたシーンに登場する出演者の名前等を理解できるため、ユーザビリティが向上する。
【００９５】
実施の形態９
実施の形態９は録画装置１で暗号化された利用可能情報及び登録ＩＤを復号化する実施形態である。以下本発明の実施の形態９をその実施の形態を示す図面に基づいて詳述する。以下、特に説明する構成、作用以外の構成及び作用は実施の形態１と同等であり、簡潔のため記載を省略する。
【００９６】
本実施形態における「リンクＡ」、「リンクＢ」、「リンクＣ」及び「リンクＤ」は暗号タグに対応づけられている。暗号タグは利用可能情報を暗号化するためのタグであり、番組表６０の発信者から許諾された録画装置１で認識可能なタグである。例えば、認識可能でない録画装置１が暗号タグに対応づけられた画面特定情報及び登録ＩＤを取得した場合、画面特定情報及び登録ＩＤは文字列として認識するか又は表示されない。記憶部１２には暗号タグが記憶されている。ＣＰＵ１１は記憶部１２に記憶された暗号タグを読み出す。ＣＰＵ１１は記憶部１２に記憶された暗号タグと利用可能情報に対応づけられた暗号タグとが一致した場合、暗号タグに対応づけられた「リンクＡ」、「リンクＢ」、「リンクＣ」及び「リンクＤ」を抽出する。
【００９７】
図３５は関連情報表示処理の処理手順を示したフローチャートである。ステップＳ１１〜Ｓ１６の処理は上述の実施の形態１に係る情報処理システムと同様であるので、簡潔のため説明を省略する。録画装置１が番組表６０の発信先から許諾された録画装置１であるため、ＣＰＵ１１はステップＳ１３の処理を終了した後、記憶部１２に記憶された暗号タグを読み出す（ステップＳ１６１）。ＣＰＵ１１は記憶部１２に記憶された暗号タグと利用可能情報に対応づけられた暗号タグとが一致するか否かを判定する（ステップＳ１６２）。ＣＰＵ１１は記憶部１２に記憶された暗号タグと利用可能情報に対応づけられた暗号タグとが一致すると判定した場合（ステップＳ１６２：ＹＥＳ）、処理をステップＳ１４に移す。ＣＰＵ１１は記憶部１２に記憶された暗号タグと利用可能情報に対応づけられた暗号タグとが一致しないと判定した場合（ステップＳ１６２：ＮＯ）、処理を終了する。
【００９８】
本実施形態によれば、暗号タグを用いることで番組表６０の発信先から許諾された録画装置１以外に利用可能情報が認識されるおそれを防止できるため、従来よりセキリティが向上する。なお、本実施形態では暗号タグで暗号化を行ったが、公開鍵方式又は秘密鍵方式で利用可能情報を暗号化してもよい。
【００９９】
一態様の情報処理システムは、画像を撮像する撮像部４７を備える情報端末装置４と、該情報端末装置４で利用可能な利用可能情報を自身が提供する情報から抽出する抽出部と、抽出部で抽出した利用可能情報を前記撮像部４７で撮像するためのマークに変換する変換部と、変換部で変換したマークを表示させる表示部４５とを備える情報処理装置１とを備える情報処理システムにおいて、撮像部４７は、表示部４５で表示されたマークを撮像し、情報端末装置４は、撮像部で撮像したマークを変換するマーク変換部を備える。
【０１００】
本実施形態によれば、ユーザが撮像部４７でマークを撮像することで容易に利用可能情報を利用することができる。
【０１０１】
一態様の情報処理システムは、利用可能情報は複数であり、変換部は、複数の利用可能情報を一のマークに変換する。
【０１０２】
本実施形態によれば、複数のリンクを一のマークに変換し、変換した一のマークを撮像部４７で撮像することでまとめて複数のリンクを情報端末装置４の表示部４５に表示させることができるため、さらに利便性が向上する。
【０１０３】
一態様の情報処理システムは、利用可能情報には、利用可能情報を暗号化するための暗号タグが対応づけられており、暗号タグと、記憶部に記憶された暗号タグとが一致するか否かを判定する判定部と、抽出部は、判定部が利用可能情報に対応づけられた暗号タグと、記憶部に記憶された暗号タグとが一致すると判定した場合、利用可能情報を前記情報処理装置１が提供する情報から抽出する。
【０１０４】
本実施形態によれば、暗号タグを用いることで番組表６０の発信先から許諾された録画装置１以外に利用可能情報が認識されるおそれを防止できるため、従来よりセキリティが向上する。
【０１０５】
一態様の情報処理システムは、情報処理装置１に係るユーザを識別するための識別情報を暗号化する暗号部と、変換部は、暗号化した識別情報をマークに変換する。
【０１０６】
本実施形態によれば、暗号化したマークを撮像部４７で撮像することでマークに含まれる登録ＩＤが情報端末装置４以外に流出するおそれを防止できるため、従来よりセキリティが向上する。
【０１０７】
一態様のプログラム１２Ｐは、情報処理装置１に用いられるプログラムにおいて、該情報処理装置１に、画像を撮像する撮像部４７を備える情報端末装置４で利用可能な利用可能情報を該情報処理装置１が提供する情報から抽出し、抽出した利用可能情報を前記撮像部４７で撮像するためのマークに変換する処理を実行させる。
【０１０８】
一態様の情報処理方法は、情報処理装置１における情報処理方法において、画像を撮像する撮像部４７を備える情報端末装置４で利用可能な利用可能情報を情報処理装置１が提供する情報から抽出し、抽出した利用可能情報を撮像部４７で撮像するためのマークに変換する。
【０１０９】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。また、各実施の形態は、処理内容を矛盾させない範囲で適宜組み合わせることが可能である。
【符号の説明】
【０１１０】
１  録画装置（情報処理装置）
１２Ｐ  プログラム
４  情報端末装置
６１５〜６１９  マーク
６４２  マーク
７２  マーク
９３  マーク
１０１  マーク
【図１】
0006516573.tif 000002
【図２】
0006516573.tif 000003
【図３】
0006516573.tif 000004
【図４】
0006516573.tif 000005
【図５】
0006516573.tif 000006
【図６】
0006516573.tif 000007
【図７】
0006516573.tif 000008
【図８】
0006516573.tif 000009
【図９】
0006516573.tif 000010
【図１０】
0006516573.tif 000011
【図１１】
0006516573.tif 000012
【図１２】
0006516573.tif 000013
【図１３】
0006516573.tif 000014
【図１４】
0006516573.tif 000015
【図１５】
0006516573.tif 000016
【図１６】
0006516573.tif 000017
【図１７】
0006516573.tif 000018
【図１８】
0006516573.tif 000019
【図１９】
0006516573.tif 000020
【図２０】
0006516573.tif 000021
【図２１】
0006516573.tif 000022
【図２２】
0006516573.tif 000023
【図２３】
0006516573.tif 000024
【図２４】
0006516573.tif 000025
【図２５】
0006516573.tif 000026
【図２６】
0006516573.tif 000027
【図２７】
0006516573.tif 000028
【図２８】
0006516573.tif 000029
【図２９】
0006516573.tif 000030
【図３０】
0006516573.tif 000031
【図３１】
0006516573.tif 000032
【図３２】
0006516573.tif 000033
【図３３】
0006516573.tif 000034
【図３４】
0006516573.tif 000035
【図３５】
0006516573.tif 000036